(57)【要約】【課題】本発明は、シール部品を有する軸シールケースを弾性板を介して攪拌槽本体に設け、攪拌軸の軸振れを弾性板の弾性によって吸収し、シール性能の向上を目的とする。【解決手段】本発明による混練物攪拌機の軸シール装置は、シール部品(9)を有する軸シールケース(5)を弾性板(3)を介して攪拌槽本体(1)に設け、攪拌軸(2)の軸振れを前記弾性板(3)の弾性によって吸収し、安定したシール性能を得ることができるようにした構成である。【選択図】図１
2006289193.tif 000002
【特許請求の範囲】
【請求項１】
スラリー状の混練物を攪拌する攪拌機の攪拌槽本体(1)と、前記攪拌槽本体(1)に対し弾性板(3)を介して接続されシール部品(9)を有する軸シールケース(5)と、前記軸シールケース(5)に保持された攪拌軸(2)と、前記軸シールケース(5)に設けられ孔(11)を有するガイドバー(6)と、前記攪拌槽本体(1)に設けられ前記孔(11)に係合するピン(7)とを備え、  前記攪拌軸(2)の軸振れを前記弾性板(3)の弾性によって吸収すると共に、前記ピン(7)と孔(11)の内壁(11a)との間には隙間が形成されていることを特徴とする混練物攪拌機の軸シール装置。
【請求項２】
前記弾性板(3)の内面(3a)には、弾性板固定リング(4)が設けられ、前記弾性板(3)は前記攪拌槽本体(1)と弾性板固定リング(4)により挟持されていることを特徴とする請求項１記載の混練物攪拌機の軸シール装置。
【請求項３】
前記攪拌軸(2)の外周にはカラー(12)が設けられ、前記カラー(12)は前記攪拌軸(2)と前記シール部品(9)との間に配設され、前記カラー(12)は前記攪拌軸(2)に対して着脱可能に構成されていることを特徴とする請求項１又は２記載の混練物攪拌機の軸シール装置。
【発明の詳細な説明】
【技術分野】
【０００１】
本発明は、混練物攪拌機の軸シール装置に関し、特に、シール部品を有する軸シールケースを弾性板を介して攪拌槽本体に取付けることにより、攪拌軸の軸振れを弾性板の弾性によって吸収し、シール性能の向上を得るための新規な改良に関する。
【背景技術】
【０００２】
従来、用いられていたこの種のスラリー状の混練物を攪拌するための攪拌機の軸シール装置としては、例えば、図３で示される構成及び特許文献１で示される構成が採用されていた。
図３で示される構成において、符号１で示されるものは攪拌槽本体であり、この攪拌槽本体１の外面１ａには、全体形状が筒状をなしグランドパッキン等のシール部品９を有する軸シールケース５がボルト５ａによって固定されている。
【０００３】
前記シール部品９は、押さえリング５ｂによって外側へ飛び出さないように保持されており、このシール部品９の内側には攪拌軸２が回転自在に設けられ、この攪拌軸２によって攪拌槽本体１内の攪拌翼（図示せず）を回転させるように構成されている。
【０００４】
また、前述の特許文献１に開示された混合機の軸部シール装置においては、グランドパッキンと攪拌軸との隙間における大小を圧力値の大小として検知手段で検出し、その検出値に対応して圧縮流体を用いた押圧手段で押圧力を調整する押圧力制御手段を用いた構成である。
【０００５】
【特許文献１】特開２００３−１９０７５５号公報
【発明の開示】
【発明が解決しようとする課題】
【０００６】
従来の混練物攪拌機の軸シール装置は、以上のように構成されていたため、次のような課題が存在していた。
すなわち、図３に示したグランドパッキン方式の軸シール装置では、軸シールケースと攪拌槽本体とが完全に固定されているため、攪拌軸の軸振れに対して軸シールケースは追従せず、グランドパッキンと攪拌軸との接触面圧が不均一となり、軸シール性能が大幅に低下する。すなわち、接触面圧の不均一性により、息継ぎ現象が発生し、軸シール部への混練物の侵入が容易となり、攪拌軸の損耗が非常に短命であった。
また、特許文献１のような構成では、軸振れに対してシール部の隙間を常に自動調整する方法がとられているが、グランドパッキンの押し付け力制御装置と圧縮空気が余分に必要となり、軸シール装置の構造も複雑となっていた。この方法でも軸振れなどの息継ぎ現象が発生した場合は、軸の損耗は早くなっていた。
【課題を解決するための手段】
【０００７】
本発明による混練物攪拌機の軸シール装置は、スラリー状の混練物を攪拌する攪拌機の攪拌槽本体と、前記攪拌槽本体に対し弾性板を介して接続されシール部品を有する軸シールケースと、前記軸シールケースに保持された攪拌軸と、前記軸シールケースに設けられ孔を有するガイドバーと、前記攪拌槽本体に設けられ前記孔に係合するピンとを備え、前記攪拌軸の軸振れを前記弾性板の弾性によって吸収すると共に、前記ピンと孔の内壁との間には隙間が形成されている構成であり、また、前記弾性板の内面には、弾性板固定リングが設けられ、前記弾性板は前記攪拌槽本体と弾性板固定リングにより挟持されている構成であり、また、前記攪拌軸の外周にはカラーが設けられ、前記カラーは前記攪拌軸と前記シール部品との間に配設され、前記カラーは前記攪拌軸に対して着脱可能とした構成である。
【発明の効果】
【０００８】
本発明による混練物攪拌機の軸シール装置は、以上のように構成されているため、次のような効果を得ることができる。
すなわち、攪拌軸が設けられたシール部品を有する軸シールケースを弾性板を介して攪拌槽本体に取付けているため、攪拌軸の軸振れを弾性板の弾性によって吸収することができ、シール部品と攪拌軸との摺動面圧が均一に長時間安定して保持でき、シール性能も大幅に向上し、軸シール装置の構造も簡単な構造で済ませることが可能となった。
【発明を実施するための最良の形態】
【０００９】
本発明は、シール部品を有する軸シールケースを弾性板を介して攪拌槽本体に取付けることにより、攪拌軸の軸振れを弾性板の弾性によって吸収し、シール性能の向上を得るようにした混練物攪拌機の軸シール装置を提供することを目的とする。
【実施例】
【００１０】
以下、図面と共に本発明による混練物攪拌機の軸シール装置の好適な実施の形態について説明する。
尚、従来例と同一又は同等部分については、同一符号を用いて説明する。
図１において符号１で示されるものは、スラリー状の混練物を攪拌する攪拌機の攪拌槽本体であり、この攪拌槽本体１の開口１Ａには、攪拌軸２を貫通させるための軸孔２Ａを有すると共にゴム板等の弾性を有する弾性板３が設けられ、この弾性板３の内面には弾性板固定リング４及び軸シールケースカバー８が取付けられ、この弾性板３及び弾性板固定リング４はボルト５ａによって前記攪拌槽本体１の内壁１ａに固定されている。
【００１１】
前記弾性板３の外面３ｂには、輪状をなす軸シールケース５が前記攪拌軸２の外周位置に同軸状に配設されており、この軸シールケース５内にはグランドパッキン等からなるシール部品９がバックアップリング１０を介して内設され、その両端が軸シールケースカバー８によって覆われている。
従って、前記シール部品９によって前記攪拌軸２のシールが行われるように構成されている。
【００１２】
前記攪拌槽本体１の外壁１ｂの前記開口１Ａの近傍位置には、この攪拌槽本体１の外壁１ｂ側に突出する一対のピン７が設けられ、このピン７の長手方向は攪拌軸２の軸方向と平行になるように配設されている。
【００１３】
前記軸シールケース５の外周面には、一対のガイドバー６が前記攪拌軸２の軸方向に対して直交する方向に沿って設けられており、この各ガイドバー６の先端側に形成された孔１１内には前記ピン７が貫通する状態で係合し、このピン７と孔１１の孔内壁１１ａとの間には隙間が形成されている。
【００１４】
前述の構造において、攪拌軸２の軸振れが発生した場合、軸シールケース５は、弾性板３の収縮により、攪拌軸２の軸振れに追従する動きを行うことができる。
また、攪拌軸２の回転による弾性板３のねじれに対しては、軸シールケース５に取り付けられたガイドバー６の半径方向の変位を許容する前記孔１１が設けられているため、前記攪拌軸２の軸振れの吸収を損ねることなく弾性板３のねじれによる異常変形を防止することができる。
従って、前記シール部品９と攪拌軸２との摺動面は、接触面圧が均一に長時間安定して保持できるので、シール性能を大幅に向上することができる。
【００１５】
図２は他の形態を示すもので、攪拌軸２には細径部２ａが形成され、この細径部２ａには筒状のカラー１２が着脱可能に取り付けられており、シール部品９との間に材料が噛み込み損耗した場合、このカラー１２の交換だけで修理が済むように構成されている。
尚、図１と同一部分には同一符号を付し、その説明は省略している。
【産業上の利用可能性】
【００１６】
本発明は、攪拌機に限らず、他の回転装置への適用も可能である。
【図面の簡単な説明】
【００１７】
【図１】本発明による混練物攪拌機の軸シール装置を示す断面構成図である。
【図２】図１の他の形態を示す断面構成図である。
【図３】従来構成の断面構成図である。
【符号の説明】
【００１８】
１    攪拌槽本体
１ａ    内壁
１ｂ    外壁
２    攪拌軸
２Ａ    軸孔
２ａ    細径部
３ａ    内面
３ｂ    外面
３    弾性板
４    弾性板固定リング
５    軸シールケース
５ａ    ボルト
５ｂ    押さえリング
６    ガイドバー
７    ピン
８    軸シールケースカバー
９    シール部品
１０    バックアップリング
１１    孔
１２    カラー
【図１】
2006289193.tif 000003
【図２】
2006289193.tif 000004
【図３】
2006289193.tif 000005